(57)【特許請求の範囲】
【請求項１】
携帯機器に取り付けられる支持部材と、前記支持部材に一体に設けられたフック部材と、前記支持部材に形成された貫通孔とを備えて成り、
ストラップに一体に設けられたループ部材を前記貫通孔に通し、前記ループ部材における前記貫通孔を通した部分を前記フック部材に引掛けることにより、前記ストラップを前記携帯機器に取り付けるようにして成ることを特徴とする携帯機器用ストラップ取付構造。
【請求項２】
前記支持部材はその一方側が前記携帯機器に取付けられ、前記フック部材は前記支持部材の他方側に設けられ、前記貫通孔は前記支持部材における前記フック部材の基部近傍に形成されていることを特徴とする請求項１記載の携帯機器用ストラップ取付構造。
【請求項３】
前記フック部材は１対設けられ、前記貫通孔は前記１対のフック部材の間に位置するように設けられていることを特徴とする請求項１又は２記載の携帯機器用ストラップ取付構造。
【請求項４】
前記フック部材は、Ｕ字状、Ｌ字状又はコ字状に形成されていることを特徴とする請求項１乃至３のいずれか一に記載の携帯機器用ストラップ取付構造。
【発明の詳細な説明】
【０００１】
【発明の属する技術分野】
本発明は、携帯型電子機器等に使用する携帯機器用ストラップ取付け構造に関する。
【０００２】
【従来の技術】
従来から、携帯型情報端末装置７や携帯電話８等の携帯機器の落下防止として、携帯機器用ストラップが使用されている（例えば、実公平８−９９８４号公報、特開２０００−１８９２２７号公報、特開２０００−３１６６２６号公報、特開平１０−２６２１０４号公報、特開平１１−２５２２２３号公報参照）。ストラップ、或いはキャラクタ人形等のアクセサリの付いたストラップ６は、ファッション性に富み、取り付け、取外しの機会が増えている。
【０００３】
図８は、ＰＤＡ（Personal Digital Assistants）７に使用される従来のストラップ取付け構造の一例を示す図である。また、図９及び図１０は、携帯電話機８に使用される従来の携帯機器用ストラップ取付け構造の一例を示す図である。
図８〜図１０において、ＰＤＡ７、携帯電話機８には、ストラップ取付け用の貫通孔１０が形成されており、ストラップ５、６に一体に設けられたループ部材４を貫通孔１０に通した後にストラップ５、６をそのループ部材４に通す。
【０００４】
これによって、ＰＤＡ７や携帯電話機８にストラップ５、６を取り付けることができる。
また、ストラップにキャラクタ人形等のアクセサリ９が付いている場合には、アクセサリ９をループ部材４に通すことによって、ストラップ６を取り付けることができる。
【０００５】
【発明が解決しようとする課題】
しかしながら、図８〜図１０に示した構造では、貫通孔１０にストラップ５、６先端のループ部材４を通した後、ストラップ５、６をそのループ部材４に通す構造であるため、非常に手間がかかるという問題がある。
また、図１０に示すように、アクセサリ９が付いたストラップ６の場合には、ストラップ６のみならずアクセサリ９もループ部材４内を通す必要があるため、更に手間がかかるという問題がある。加えて、アクセサリ９の大きさや形状が、ループ部材４の大きさによって制限されてしまうという問題がある。
【０００６】
本発明は、ストラップの取付けや取り外しを容易に行い得るようにすることを課題としている。
また、本発明は、アクセサリ付きのストラップの場合でも、取付けや取り外しを容易に行い得るようにすることを課題としている。
【０００７】
【課題を解決するための手段】
本発明によれば、携帯機器に取り付けられる支持部材と、前記支持部材に一体に設けられたフック部材と、前記支持部材に形成された貫通孔とを備えて成ることを特徴とする携帯機器用ストラップ取付構造が提供される。
ストラップに一体形成されたループ部材を貫通孔に挿入した後、前記ループ部材をフック部材に引掛けることにより、ストラップが取り付けられる。
【０００８】
ここで、前記支持部材はその一方側が前記携帯機器に取付けられ、前記フック部材は前記支持部材の他方側に設けられ、前記貫通孔は前記支持部材における前記フック部材の基部近傍に形成されているように構成してもよい。
また、前記フック部材は１対設けられ、前記貫通孔は前記１対のフック部材の間に位置するように設けられているように構成してもよい。
また、前記フック部材は、Ｕ字状、Ｌ字状又はコ字状に形成してもよい。
【０００９】
【発明の実施の形態】
以下、図面を参照して、本発明の実施の形態に係る携帯機器用ストラップ取付け構造について説明する。
図１は、本発明の第１の実施の形態に係る携帯機器用ストラップ取付け構造の外観図で、同図（ａ）は正面斜視図、同図（ｂ）は背面斜視図である。
【００１０】
図１において、携帯機器用ストラップ取付け構造１は、支持部材１００、支持部材１００に一体に設けられた複数のフック部材３、３、支持部材１００におけるフック部材３、３基部（支持部材１００に対するフック部材３、３の取付部）近傍に形成された貫通孔２を備えている。
支持部材１００は長方形状に形成されている。また、支持部材１００は平板状に形成されている。
【００１１】
支持部材１００に一体形成されたフック部３、３は１対設けられている。フック部３、３はＵ字状に湾曲した形状に形成されている。フック部３、３は、支持部材１００の平板面に対面するように湾曲した形状に形成されている。また、貫通孔２は１対のフック部材３、３の間に位置するように設けられている。
尚、ストラップ取付け構造１は、携帯機器の筐体と一体型にしてもよく又、携帯機器に後から装着可能な別部品としてもよく、いずれの場合にも後述するような同様の効果が得られる。
【００１２】
図２は、携帯機器の一種である携帯型情報端末装置（ＰＤＡ）７に、本第１の実施の形態に係る携帯機器用ストラップ取付け構造１を取付け、該ストラップ取付け構造１にストラップ５を取り付けた状態を示す部分斜視図である。
図３は、携帯機器の一種である携帯電話機８に、本第１の実施の形態に係る携帯機器用ストラップ取付け構造１を取付け、該ストラップ取付け構造１にストラップ５を取り付けた状態を示す部分斜視図である。
図４は、携帯機器の一種である携帯電話機８に、本第１の実施の形態に係る携帯機器用ストラップ取付け構造１を取付け、該ストラップ取付け構造１に、アクセサリ９が一体に設けられたストラップ６を取り付けた状態を示す部分斜視図である。
【００１３】
次に、以上のように構成されたストラップ取付け構造１にストラップ５、６を取り付ける方法を説明する。
先ず、ＰＤＡ７や携帯電話機８等の携帯機器に、該携帯機器の製造段階で一体的に、あるいは、該携帯機器を使用する際に、ストラップ取付け構造１を取り付ける。この際、ストラップ取付け構造１は、携帯機器の筐体と一体型にした場合及び別部品にした場合、共に同様の効果が得られる。
【００１４】
次に、図５に示すように、ストラップ取付け構造１に設けた貫通孔２に、矢印方向からストラップ５に一体に設けられたループ部材４を通し、図６に示すように、ループ部材４における貫通孔２を通した部分４を矢印方向に折り返して、ストラップ取付け構造１に一体に設けた２個のフック部材３、３に引掛ける。これにより、図７に示すように、ストラップ５はストラップ取付け構造１に取り付けられる。
【００１５】
一旦取付けがなされると、ループ部材４がストラップ取付け構造１から外れようとしても、フック部３、３によって防止されるため、ストラップ５の脱落は防止される。
また、ストラップ５を取り外す場合にも、ループ部材４をフック部材３、３から外すだけでよい。
【００１６】
図１１は、本発明の第２の実施の形態に係る携帯機器用ストラップ取付け構造の斜視図である。
図１１において、携帯機器用ストラップ取付け構造１１は、支持部材１００、支持部材１００に一体に形成された複数のフック部材３、３、支持部材１００におけるフック部材３、３基部近傍に形成された貫通孔２を備えている。
支持部材１００は長方形状に形成されている。また、支持部材１００は平板状に形成されている。
【００１７】
支持部材１００に一体に設けられたフック部３、３は１対設けられている。フック部３、３はＬ字状に湾曲した形状に形成されている。フック部３、３は、支持部材１００の平板面と平行な面内に位置するように形成されている。また、貫通孔２は１対のフック部材３、３の間に位置するように設けられている。
ストラップを取付ける場合には、前記第１の実施の形態と同様に、ストラップ５に一体に設けられたループ部材を貫通孔２に通し、前記ループ部材における貫通孔２を通した部分を２個のフック部材３、３に引掛けることにより行う。
【００１８】
図１２は、本発明の第３の実施の形態に係る携帯機器用ストラップ取付け構造の斜視図である。
図１２において、携帯機器用ストラップ取付け構造１２は、支持部材１００、支持部材１００に一体に形成された複数のフック部材３、３、支持部材１００におけるフック部材３、３基部近傍に形成された貫通孔２を備えている。
【００１９】
支持部材１００は長方形状に形成されている。また、支持部材１００は平板状に形成されている。
支持部材１００に一体形成されたフック部３、３は１対設けられている。フック部３、３はコ字状に湾曲した形状に形成されている。フック部３、３は、支持部材１００の平板面と直交するように、支持部材１００の側部に形成されている。
また、貫通孔２は１対のフック部材３、３の間に位置するように設けられている。
ストラップを取付ける場合には、前記第１の実施の形態と同様に、貫通孔２に、ストラップ５に一体に設けられたループ部材を通し、前記ループ部材における貫通孔２を通した部分を２個のフック部材３、３に引掛けることにより行う。
【００２０】
以上述べたように、本発明の実施の形態に係る携帯機器用ストラップ取付構造１、１１、１２は、携帯機器に取り付けられる支持部材１００と、支持部材１００に一体に設けられストラップ５のループ部材４を引掛けるためのフック部材３と、支持部材１００に形成されループ部材４を挿入するための貫通孔２とを備えている。
【００２１】
また、支持部材１００はその一方側が携帯機器に取付けられ、フック部材３は支持部材１００の他方側に設けられ、貫通孔２は支持部材１００におけるフック部材３の基部近傍に形成されている。
また、フック部材３は１対設けられ、貫通孔２は１対のフック部材３、３の間に位置するように設けられている。
【００２２】
また、フック部材３は、Ｕ字状、Ｌ字状又はコ字状に形成されている。
したがって、従来のようにループ部材４にストラップ５を通す必要が無くなるため、容易にストラップ５の取り付け、取外しを行うことが可能になる。
また、本実施の形態に係るストラップ取付け構造１にあわせて、専用のストラップを新たに作る必要が無く、市販されている既存のストラップをそのまま使用することが可能になる。
【００２３】
また、図４に示すように、ストラップ６にキャラクタ人形等のアクセサリ９が付いている場合にも、ループ部材４にストラップ６を通す必要が無くなるため、容易にストラップ６の取付け、取外しを行うことができる。
また、キャラクタ人形等のアクセサリ９が大きすぎる場合、従来のストラップ取付け構造では、図１０に示すようにループ部材４にキャラクタ人形等のアクセサリ９が通らなくなり取付けが不可能になるが、本実施の形態に係るストラップ取付け構造１では、ループ部材４にストラップ６及びアクセサリを通す必要が無いため、ストラップ６に付けるキャラクタ人形等のアクセサリ９の大きさや形状を自由に設定することができる。
【００２４】
尚、前記各実施の形態では、１対のフック部材３、３を設けるようにしたが、少なくとも１つのフック部材を設けるようにしてもよい。
また、ＰＤＡ、携帯電話機、ＰＨＳ等の各種携帯型電子機器用のストラップの取付に適用することができる。
【００２５】
【発明の効果】
本発明の携帯機器用ストラップ取付け構造によれば、ストラップの取付けや取り外しを容易に行うことが可能になる。
また、アクセサリ付きの携帯機器用ストラップの場合でも、取付けや取り外しを容易に行うことが可能になる。
【図面の簡単な説明】
【図１】  本発明の第１の実施の形態に係る携帯機器用ストラップ取付け構造の部分外観図である。
【図２】  本発明の第１の実施の形態に係る携帯機器用ストラップ取付け構造の使用態様を示す外観図である。
【図３】  本発明の第１の実施の形態に係る携帯機器用ストラップ取付け構造の使用態様を示す部分外観図である。
【図４】  本発明の第１の実施の形態に係る携帯機器用ストラップ取付け構造の使用態様を示す部分外観図である。
【図５】  本発明の第１の実施の形態に係る携帯機器用ストラップ取付け構造の取付け方法を示す部分外観図である。
【図６】  本発明の第１の実施の形態に係る携帯機器用ストラップ取付け構造の取付け方法を示す部分外観図である。
【図７】  本発明の第１の実施の形態に係る携帯機器用ストラップ取付け構造の取付け方法を示す部分外観図である。
【図８】  従来の携帯機器用ストラップ取付け構造の使用態様を示す外観図である。
【図９】  従来の携帯機器用ストラップ取付け構造の取付け方法を示す部分外観図である。
【図１０】  従来の携帯機器用ストラップ取付け構造の取付け方法を示す部分外観図である。
【図１１】  本発明の第２の実施の形態に係る携帯機器用ストラップ取付け構造の部分外観図である。
【図１２】  本発明の第３の実施の形態に係る携帯機器用ストラップ取付け構造の部分外観図である。
【符号の説明】
１、１１、１２・・・携帯機器用ストラップ取付け構造
２、１０・・・貫通孔
３・・・フック部材
４・・・ループ部材
５、６・・・ストラップ
７・・・携帯機器としてのＰＤＡ
８・・・携帯機器としての携帯電話機
９・・・アクセサリ
１００・・・支持部材
【図１】
0003678666.tif 000002
【図２】
0003678666.tif 000003
【図３】
0003678666.tif 000004
【図４】
0003678666.tif 000005
【図５】
0003678666.tif 000006
【図６】
0003678666.tif 000007
【図７】
0003678666.tif 000008
【図８】
0003678666.tif 000009
【図９】
0003678666.tif 000010
【図１０】
0003678666.tif 000011
【図１１】
0003678666.tif 000012
【図１２】
0003678666.tif 000013